(57)【要約】【課題】従来例におけるエステ機器を含むホルダー装置にあっては、施術器具３の施術者が把持する部分を、上方から挿入して保持する平面形がＵ状に形成されたものであった。そのため、例えば、前記操作スイッチを操作して或る施術器具３の操作時間を設定した後に、実際の施術を行う場合には施術器具３手に持った状態で、スタート用のスイッチを操作するという二度手間が掛かってしまうといった問題があった。【解決手段】各施術器具３の形状に合わせて内径および長さが設定された平面視Ｕ状のホルダー部４１と、該ホルダー部の内周面側の前記各施術器具に合わせて高さ位置および向きが設定された位置に前記ホルダー部の脱着を検出するセンサー４３ａを収容し、該センサーが施術器具の外されたことを検出すると、該外された施術器具の駆動源を駆動させるようにしたエステ機器における施術器具ホルダー装置である。【選択図】        図２
2004174170.tif 000002
【特許請求の範囲】
【請求項１】
各施術器具の形状に合わせて内径および長さが設定された平面視Ｕ状のホルダー部と、該ホルダー部の内周面側の前記各施術器具に合わせて高さ位置および向きが設定された位置に前記ホルダーの脱着を検出するセンサーを収容し、該センサーが施術器具の外されたことを検出すると、該外された施術器具の駆動源を駆動させるようにしたことを特徴とするエステ機器における施術器具ホルダー装置。
【請求項２】
前記駆動源の駆動中において施術器具をホルダーに戻したことを前記センサーが検出すると、設定した施術時間の進行が次にセンサーが施術器具を検出するまで停止するようにしたことを特徴とする請求項１記載のエステ機器における施術器具ホルダー装置。
【請求項３】
前記センサーは光を施術器具に照射し、該施術器具からの反射光の有無でホルダーの有無を検出するようにしたことを特徴とする請求項１記載のエステ機器における施術器具ホルダー装置。
【請求項４】
前記センサーは、前記ホルダー部に対して着脱自在に取付けられていることを特徴とする請求項１記載のエステ機器における施術器具ホルダー装置。
【請求項５】
前記ホルダーの近傍にはパネルが設置されており、前記施術具をホルダーから外されると、前記パネルに前記施術具の画像と施術時間とが表示されることを特徴とするエステ機器における施術器具ホルダー装置。
【請求項６】
前記施術時間は操作スイッチの操作によって変更可能に構成されていることを特徴とする請求項５記載のエステ機器における施術器具ホルダー装置。
【請求項７】
施術前おける肌の水分量、油脂量、肌弾性を予め取得して記憶させると共にパネル上に前記肌診断の結果得られた施術時間や施術温度等の施術条件を表示可能としたする制御部と、各施術器具が着脱自在に保持され、かつ、施術器具が外されるたことを検出するセンサーを有するホルダー装置とを具備し、該ホルダー装置より前記施術器具が外されたことを前記センサーが検出すると、前記制御部によって得られた該外された施術器具に関連する施術時間や施術温度等の施術条件を表示すると共に施術器具の動作を制御するようにしたことを特徴とする施術器具ホルダー。
【請求項８】
前記制御部によって得られた施術時間や施術温度等の施術条件は変更可能であることを特徴とする請求項５記載の施術器具ホルダー。
【発明の詳細な説明】
【０００１】
【発明の属する技術分野】
本発明はエステテックサロン等の理美容院において、エステ施術を行うための各種の施術器具、例えば、ローションを顔に噴霧してトリートメントでほてった肌をクールダウンするためのスプレイ、空気の負圧を利用して皮膚の表面に付いた余分な皮脂や汚れを除くためのバキューム、皮膚を加熱・冷却を繰り返して血行をよくしトリートメント効果を高めるホット・クールを繰り返すことによって血行を良くしてトリートメント効果を高めるためのペルチェ等の施術者が手に持って施術を行うための施術器具を、エステ機器に垂下状態で保持するためのエステ機器における施術器具ホルダー装置の改良に関する。
【０００２】
【従来の技術】
従来におけるこの種のエステ機器としては、例えば、実開昭５７−７４０４１号公報や登録意匠第９７５６５１号公報に開示されているものがある。この意匠公報には移動可能なスタンド１の上端に各種のエステ機器を制御するための操作スイッチ２ａが取付けられたエステ機器の動作状態を表示するための表示パネル２ｂが配置された制御部２が取付けられ、該制御部２の表面側に多数の施術器具３を垂下した状態で保持するホルダー装置４が取付けられたものが開示されている。
【０００３】
【特許文献】実開昭５７−７４０４１号公報
【特許文献】登録意匠第９７５６５１号公報
【０００４】
【発明が解決しようとする課題】
ところで、前記した従来例におけるエステ機器を含むホルダー装置にあっては、施術器具３の施術者が把持する部分を、上方から挿入して保持する平面形がＵ状に形成されたものであった。そのため、例えば、前記操作スイッチを操作して或る施術器具３の操作時間を設定した後に、実際の施術を行う場合には施術器具３を手に持った状態で、スタート用のスイッチを操作するという二度手間が掛かってしまうといった問題があった。
【０００５】
本発明は前記した問題点を解決せんとするもので、その目的とするところは、施術器具をホルダー装置から引き抜いたことを光センサーが検出して、該引き抜いた施術器具の駆動源が駆動されて直ちに施術を開始することができ、しかも、如何なる形状の施術器具であってもホルダー装置にセットおよび引き抜かれたことを確実に検出することが可能なエステ機器における施術器具ホルダー装置を提供せんとするにある。
【０００６】
【課題を解決するための手段】
本発明のエステ機器における施術器具ホルダー装置は前記した目的を達成せんとするもので、請求項１の手段は、各施術器具の形状に合わせて内径および長さが設定された平面視Ｕ状のホルダー部と、該ホルダー部の内周面側の前記各施術器具に合わせて高さ位置および向きが設定された位置に前記ホルダーの脱着を検出するセンサーを収容し、該センサーが施術器具の外されたことを検出すると、該外された施術器具の駆動源を駆動させるようにしたものである。
【０００７】
請求項２の手段は、前記請求項１において、前記駆動源の駆動中において施術器具をホルダーに戻したことを前記センサーが検出すると、設定した施術時間の進行が次にセンサーが施術器具を検出するまで停止するようにしたものであり、請求項３の手段は、前記請求項１において、前記センサーが、光を施術器具に照射し、該施術器具からの反射光の有無でホルダーの有無を検出するようにしたものであり、請求項４の手段は、前記請求項１において、前記センサーを前記ホルダー部に対して着脱自在に取付けるようにしたものである。
【０００８】
請求項５の手段は、前記請求項１において、前記ホルダーの近傍にはパネルが設置されており、前記施術具をホルダーから外されると、前記パネルに前記施術具の画像と施術時間とが表示されるものであり、請求項６の手段は、前記請求項５において、前記施術時間は操作スイッチの操作によって変更可能に構成されているものである。
【０００９】
請求項７の手段は、施術前おける肌の水分量、油脂量、肌弾性を予め取得して記憶させると共にパネル上に前記肌診断の結果得られた施術時間や施術温度等の施術条件を表示可能としたする制御部と、各施術器具が着脱自在に保持され、かつ、施術器具が外されるたことを検出するセンサーを有するホルダー装置とを具備し、該ホルダー装置より前記施術器具が外されたことを前記センサーが検出すると、前記制御部によって得られた該外された施術器具に関連する施術時間や施術温度等の施術条件を表示すると共に施術器具の動作を制御するようにしたものである。
【００１０】
請求項８の手段は、前記請求項７において、前記制御部によって得られた施術時間や施術温度等の施術条件を変更可能としたものである。
【００１１】
【発明の実施の形態】
以下、本発明に係るエステ機器における施術器具ホルダー装置の一実施の形態を図面と共に説明する。
図６はエステ機器全体を示す斜視図にして、前記した従来例と同一符号は同一部分を示し説明は省略する。
スタンド１内には施術器具３を駆動するためのポンプや電源などの駆動源が収容され、また、制御部２には操作スイッチ２ａによって操作した時間や温度を記憶したり、該設定した時間や温度の変更、および、後述する光センサー４３ａからの施術機器３がホルダー部４１から外されたことを検出した信号によって駆動源を動作させる出力を送出する制御回路が内蔵されている。また、パネル２ｂには施術器具３の使用条件および前記設定した時間や温度の表示が行われる。
【００１２】
そして、本体１に取付けられているホルダー装置４は、図１および図２に示すように２つの合成樹脂材を上下方向で張り合わせて構成され、また、水平面において円弧状に形成されており、平面視において複数のホルダー部４１が前面側に形成されている。なお、図示のものにあっては、６個のホルダー部４１が形成されており、各ホルダー部４は内径および上下方向の長さが施術器具３の形状に合わせて形成されている。また、後述する光センサーよりの光を照射するための窓孔４１ａの位置も上下および左右方向にずれて配置されている。
【００１３】
前記ホルダー部４１には、透明樹脂で形成された保持部材４２と、該保持部材４２に対して着脱自在に取付けられる光センサー４３ａを有する基板４３とから構成されている。保持部材４２および基板４３は全て同じ形状のものであり、保持部材４２は前記した何れの窓孔４１ａにも取付けることができ、また、前記した基板４３は何れの保持部材４２にも着脱自在に取付け可能に構成されている。
【００１４】
保持部材４２は、前記窓孔４１ａ内に嵌合されるセンサー窓部４２ａが突出して形成され、また、背面側には基板４３を固定するための一対の係止爪４２ｂ，４２ｃが形成されている。一方、基板４３にはホトセンサーからなる光センサー４３ａが取付けられており、該光センサー４３ａは前記センサー窓部４２ａ内に収納できるように構成されている。
【００１５】
そして、ホルダー部４１の窓孔４１ａに対して保持部材４２のセンサー窓部４２ａを差し込み固定し、また、保持部材４２対して基板４３の光センサー４３ａを位置させた状態で、保持部材４２の爪４２ａ，４２ｃによって基板４３を係合固定することで一体化される。
【００１６】
ところで、前記したように、ホルダー部４１の窓孔４１ａの向きおよび高さが施術器具３によって異なることから、前記窓孔４１ａを作成する際に、すなわち、窓孔４１ａの向きをホルダー部４１の成型時に形成しておき、また、高さに対しても成型時に保持部材４２を取付ける位置の底面に隆起部４１ｂを形成しておくことで、保持部材４２が所定の高さ位置および向きが決定され、これにより、光センサー４３ａの光照射高さおよび向きも決定される。
【００１７】
従って、光センサー４３ａよりの光は施術機器３に照射された後、反射光が必ずホトセンサーの受光器に戻ってくることとなり、施術機器３の抜き差しを正確に検出することができることとなる。従って、前記制御部２で施術器具３による施術のための設定が行われていると、施術器具３を保持部材４２から抜いて外したことを光センサー４３ａが検出して、その信号が制御部２に送られると、該制御部３はその施術機器３の駆動源を駆動させる。
【００１８】
なお、施術終了時間前に、何らかの理由によって施術者が施術器具３を保持部材４２に戻した場合には、前記光センサー４３ａが施術器具３を検出して検出信号を制御部２に送出するので、制御部２はタイマーの時間の進行を一時的に停止させ、光センサー４３ａが再び施術器具３を検出すると駆動源を駆動させるように動作するものである。
【００１９】
前記した実施の形態における制御部２の具体的な構成について説明する。
図７は制御部２のシステムブロック図にして、操作スイッチ２ａと液晶パネル２ｂからなるディスプレー２１は前記した実施の形態と同じである。そして、前記したホルダー装置４には前記した施術器具３であるヴァキューム３１ａ、パター３１ｂ、肌診断器３１ｃとからなるメイン施術具３１と、前記ヴァキューム３１ａを制御するための吸引制御回路３２ａ、パター３１ｂを制御するためのパター制御回路３２ｂ、肌診断器３１ｃを制御するための肌診断制御回路３２ｃとからなるメイン制御ユニット３２および前記メイン制御ユニット３２によって制御されるポンプ３３ａ、ソレノイド３３ｂおよび公知のセンサ部３３ｃ（例えば、肌の水分による電気的な抵抗値から水分量を得、該水分量から油分量および肌弾性を演算して得る）とからなる駆動源３３によって基本施術装置となっている。
【００２０】
前記した基本施術装置に対してオプション設定ができ、このオプション施術装置としては、基本施術装置と同様にホルダー装置３に対して着脱自在に保持されるアイオノス３４ａ、フリマトール３４ｂからなるオプション施術具３４と、前記アイオノス３４ａを制御するためのアイオノス制御回路３５ａ、前記フリマトール３４ｂを制御するためのフリマトール制御回路３５ｂからなるオプション制御ユニット３５および前記オプション制御ユニット３５によって制御される電流制御部３６ａ、モータ３６ｂからなる駆動源３６とから構成されている。
【００２１】
なお、３７は施術時間が経過するとブザー音等を発声するスピーカである。また、前記したディスプレー２１と基本制御装置におけるメイン制御ユニット３２およびオプション制御ユニット３５とはＲＳ４２２通信回線によって接続されている。
【００２２】
次に、前記したシステムブロック図に基づいて動作を説明する。
先ず、肌診断を行う場合の動作を図８のフローチャートと共に説明する。
初期画面状態において、センサ３３ｃをホルダー装置３より外すと液晶パネル２ｂ上には人の顔画像が表示されると共に、該顔画面上の額部位にセンサ３３ｃを当てるように表示が行われる（ステップＳ１）。ここで、施術者がセンサ３３ｃの先端を顧客の額に対して略直角に当てる。
【００２３】
３８は予め、熟練した施術者の経験から得られた各施術に対する順序や施術時間等のデータをメモリに記憶させておき、前記した肌診断制御回路３２ｃによって得られた肌の水分量、油分量、肌弾性から、前記メモリに記憶されているデータとの比較を行って最適であると判断される施術順序および施術時間を選択し、また、前記センサ３３ｃによって肌診断を行うに際して、本発明にあっては、額、顎、左右の頬に当てて４か所の肌診断を行うので、前記各部における肌の水分量、油分量、肌弾性の診断結果のデータをグラフ状に表示すると共に、該データを記憶するための処理回路である。
【００２４】
センサ１１ａが額に当てられると液晶パネル１１ａには只今測定中の表示が表れ（ステップＳ２）、肌診断制御回路１３ｃによる測定が終了すると、前記額部位における水分量、油分量、肌弾性の縦軸方向に対して測定結果がグラフの点や棒として表示される（ステップＳ３）。次いで、顔画面上の右頬の部位に当てるように表示が行われる（ステップＳ４）ので、施術者がセンサ１１ａを右頬に当てると只今測定中の表示が行われる（ステップＳ５）。
【００２５】
そして、肌診断制御回路３２ｃによる測定が終了すると、前記右頬部位における水分量、油分量、肌弾性の測定結果が横軸方向に追加表示される（ステップＳ６）。以下、同様にして、左頬および顎の部位の測定部位の表示（ステップＳ７）と、測定結果が横軸方向に図９に示すようにグラフ状に表示される（ステップＳ８）。
【００２６】
これらの測定結果、すなわち、縦軸に水分量、油分量、肌弾性に対する横軸の測定部位の測定結果はメモリに記憶される（ステップＳ９）。なお、前記各部位における測定結果は顔画像の各部位より引き出された引出線に水分量、油分量、肌弾性の測定結果である数値としても表示される。なお、表示方法としては前記した表示方法に限定されるものではなく、顧客が見ても自分の顔の各部における水分量、油分量、肌弾性が判るような表示方法は多数考えられる。
【００２７】
このようにメモリに記憶された測定結果のデータは処理回路３８に出力される。ここで、処理回路３８には、予め熟練した技術者が経験から、各水分量、油分量、肌弾性の値に対する施術順序や施術時間の基準データが記憶されているので、処理回路３８において前記測定結果のデータと予め記憶されている基準データとの比較を行い、測定結果のデータが基準データと最も近いデータを選択して、該選択したデータの施術順序と施術時間を液晶パネル２ｂ上に表示する。
【００２８】
そして、施術者が前記液晶パネル２ｂに表示された順序で、例えば、前記順序の最初がヴァキューム施術の表示が行われていた場合の動作について図４のフローチャートと共に説明する。
液晶パネル２ｂにはヴァキュームの画像と施術時間が表示される（ステップＳ２１）。なお、この表示方法としては、第１の画面に施術順序の画像が、第２の画面に施術時間を表示するようにしてもよい。
【００２９】
ここで、施術者がヴァキューム施術具３１ａをホルダー装置３から外すと（ステップＳ２２）、該ホルダー装置３に設けられている光センサ４３ａがオン状態となって、吸引制御回路３２ａを介してポンプ３３ａが動作を開始する。
【００３０】
従って、施術者がヴァキューム施術具３１ａを持って顧客の顔面の所望位置に当てると、吸引力によって皮膚の表面に付いた余分な皮脂や汚れを吸引する。そして、吸引操作をすることにより施術時間は操作を行っている時間だけ減算されるが（ステップＳ２２）、途中でヴァキューム施術具３１ａをホルダー装置３に戻すと（ステップＳ２４）、前記時間の減算はその時点で停止し（ステップＳ２５）、再び、ホルダー装置３から外すと時間の減算が行われ、施術時間が終了すると（ステップＳ２６）、スピーカ３７より時間が経過したとのブザー音を発声する（ステップＳ２７）。
【００３１】
そして、前記したヴァキューム施術が終了すると、液晶パネル２ｂには次の施術内容（例えば、化粧水を効果的に浸透させるアイオノス施術等）が画像として表示されると共に施術時間が表示される（ステップＳ２８）ので、前記したヴァキューム施術具３１ａをホルダー装置３に戻し、前記液晶パネル２ｂに表示されている次の施術具（アイオノス）をホルダー装置３より外すことにより、前記ステップＳ２３に戻って前記したと同様な動作が行われる。なお、ステップＳ２１、２２、２４に記載されているヴァキュームはアイオノスと書き換えるものとする。
【００３２】
そして、このようにして予め定められた施術順序での施術が進行すると全ての施術が終了したか否かの判断を行い（ステップＳ２９）、終了したと判断すると施術終了後の肌診断を行う旨の指令が出され（ステップＳ３０）、また、全ての施術が終了していないと判断されると、ステップＳ２１に戻って前記したように予め定められた施術で未だ行われていない施術内容が画像として表示されると共に施術時間が表示される。
【００３３】
前記した実施の形態において、肌診断の結果によって施術順序と施術時間が自動的に設定されるが、熟練の施術者のように個人的な感によって施術順序を変えたり、施術時間を短縮したり、所望の施術を削除したりすることが、ディスプレー１１に設けられているスイッチ１１ｂを操作することで変更が行えるようになっている。
【００３４】
なお、前記した実施の形態のように、処理回路３８において肌診断結果のデータと予め設定されているデータとの比較を行う必要はなく、例えば、エステテックサロンにおいて一般的な施術順序と施術時間をパネル２ｂ上に表示し、施術者が自分の経験から施術順序を変更したり施術時間を変更し、あるいは、施術内容を削除して施術を行うようにしてもよい。
【００３５】
また、施術者が前記肌診断を行わずに被施術者の希望する１つあるいは複数の施術を行う場合には、該施術を行おうとする施術具をホルダー装置３から外すと、該取り外した施術具の画像と施術時間がパネル２ｂに表示するようにしてもよく、この場合においても施術時間については操作スイッチ２ａによって変更可能に構成されている。
【００３６】
また、前記した実施の形態にあっては、パネル２ｂに表示された施術順序に従って施術を行う場合について説明したが、前記施術順序に関係なく施術者が施術器具３１をホルダー装置３から引き抜いた場合には、前記肌診断によって得られた前記引き抜かれた施術器具３１に関連するデータ（施術時間等）を表示すると共に施術器具３１の制御を行うようにしてもよい。
【００３７】
さらに、前記した実施の形態にあっては、施術器具３の有無を検出するものとして光センサー４３ａを使用した場合について説明したが、機械的なスイッチや容量センサーあるいは磁気センサー等に変更することは可能であり、また、前記したステップＳ２１におけるヴァキュームの画像と施術時間の表示と同時に施術器具３を作動させるようにしてもよい。
【００３８】
【発明の効果】
本発明は前記したように、各施術器具の形状に合わせて内径および長さが設定された平面  視Ｕ状のホルダー部と、該ホルダー部の内周面側の前記各施術器具に合わせて高さ位置および向きが設定された位置に前記ホルダーの脱着を検出するセンサーを収容し、該センサーが施術器具の外されたことを検出すると、該外された施術器具の駆動源を駆動させるようにしたので、施術作業が簡単となり作業の能率化が図れるものである。
【００３９】
また、駆動源の駆動中において施術器具をホルダーに戻したことを前記センサーが検出すると、設定した施術時間の進行が次にセンサーが施術器具を検出するまで停止するようにすることで、時間の設定をして行った施術を途中で中断しても実際に施術する時間は最初に設定した時間となり、施術時間が短いための施術ミスを防止することができる。
【００４０】
さらに、センサーとして光センサーを使用することで、エステサロンのように水を使用する場所においも、機械的スイッチのような水による故障の心配がなく、また、電気部分であるセンサーを含む基板を着脱自在としたことで、故障した場合でも基板のみを交換することで使用可能となる。
【００４１】
また、施術器具をホルダー装置から外すと、予め計測された肌診断に基づいた施術時間や施術温度等の施術条件に基づいて施術器具の制御が行われるので、熟練を要することなく施術を行うことができ、また、前記施術条件は施術によって変更することも可能なので、施術者の経験に合った施術を行うことができる等の効果を有するものである。
【図面の簡単な説明】
【図１】本発明に係るエステ機器における施術器具ホルダー装置の正面図である。
【図２】同上の横断面図である。
【図３】同上のＡ−Ａ線断面図である。
【図４】図３のＢ−Ｂ線断面図である。
【図５】保持部材と基板との取付け関係を示す斜視図である。
【図６】エステ機器全体の斜視図である。
【図７】エステ機器における制御部のシステムブロック図である。
【図８】肌診断を行うためのフローチャートである。
【図９】肌診断を行った結果の液晶パネルに表示される模式図である。
【図１０】ヴァキュームにより施術を行う場合のフローチャートである。
【符号の説明】
２        制御部
２ｂ      パネル
３        施術器具
３１ｃ    肌診断器
４        ホルダー装置
４１      ホルダー部
４２      保持部材
４３      基板
４３ａ    光センサー
【図１】
2004174170.tif 000003
【図２】
2004174170.tif 000004
【図３】
2004174170.tif 000005
【図４】
2004174170.tif 000006
【図５】
2004174170.tif 000007
【図６】
2004174170.tif 000008
【図７】
2004174170.tif 000009
【図８】
2004174170.tif 000010
【図９】
2004174170.tif 000011
【図１０】
2004174170.tif 000012